(57)【要約】【課題】枠体とカバー体の取付構造において、カバー体の下方部位の固定手段が外れたような場合にカバー体に衝撃が加わったとしても、カバー体が枠体から外れないようにする。【解決手段】枠体８とカバー体９との取付構造において、枠体８は水平状に延出する上面部８１を備えていると共に、上面部８１の前端には被掛止部８２が形成されており、カバー体９は面部９０を備えていると共に、面部９０の上端には被掛止部８２に掛止する掛止部９２が形成されており、被掛止部８２と掛止部９２の掛止状態は、カバー体９が垂直姿勢から上端を支点として所定角度上方に回動しないと解除されないように構成されている。【選択図】図７
2008082057.tif 000002
【特許請求の範囲】
【請求項１】
枠体とカバー体との取付構造において、
前記枠体は水平状に延出する上面部を備えていると共に、前記上面部の前端には被掛止部が形成されており、
前記カバー体は面部を備えていると共に、前記面部の上端には前記被掛止部に掛止する掛止部が形成されており、
前記被掛止部の先端には被掛止片、前記掛止部の先端には掛止片がそれぞれ形成されており、前記被掛止片に前記掛止片が掛止することで前記被掛止部と前記掛止部とは掛止状態となり、前記掛止状態は、カバー体が垂直姿勢から上端を支点として所定角度上方に回動するまで保持される、
枠体とカバー体との取付構造。
【請求項２】
前記被掛止片は、垂直片と、垂直片の上端から水平に延出する水平片と、を備えており、
前記掛止片は、水平状に延出する水平片と、水平片の先端から斜め下方に延出する傾斜片と、を備えており、
前記掛止状態では、前記被掛止片の水平片に前記掛止片の傾斜片が掛止する、
請求項１に記載の取付構造。
【請求項３】
前記被掛止片は、垂直片と、垂直片の下端から斜め上方に延出する傾斜片と、を備えており、
前記掛止片は、水平片と、水平片の先端から下方に延出する垂直片と、を備えており、
前記掛止状態では、前記被掛止片の傾斜片に前記掛止片の垂直片が掛止する、
請求項１に記載の取付構造。
【発明の詳細な説明】
【技術分野】
【０００１】
本発明は、枠体とカバー体との取付構造に係り、好ましい態様例では、引戸装置の上枠を構成する上枠本体と点検カバーとの取付構造に関するものである。
【背景技術】
【０００２】
病院等の居室の出入り口に設置する引戸装置においては、取付やメンテナンスのために、開口部上方の上枠を、上枠本体と、上枠本体に対して着脱自在の点検カバーと、から構成している。
【０００３】
従来、点検カバーの取付方法としては、大きく分けて以下の２種類がある。
（１）点検カバーの上部を上枠本体に引っ掛け、点検カバーの下部を螺子で固定する。
（２）点検カバーの上部を上枠本体に丁番を用いて回動自在に連結し、点検カバーの下部を螺子あるいはマグネットで固定する。
【０００４】
本明細書の図９には、前記（１）の取付構造が示してある。図９において、上枠本体８の上面部８１の先端には被掛止部８２が、点検カバー９の面部９０の上端には掛止部９２がそれぞれ形成されている。掛止部９２は単に被掛止部８２に引っ掛けてあるだけである。特許文献１の図５にも前記（１）の取付構造が示してある。
【０００５】
しかしながら、前記（１）の取付方法だと、何らかの理由で下部の螺子が外れてしまったような場合に、点検カバーに下から上に向かう衝撃が加わると点検カバーの上部の引っ掛けが外れて点検カバーが落下するという事故が発生している。また、前記（２）の取付方法だと、点検カバーの落下の可能性は低減するが、コスト高となる上、点検カバーを外せないことにより、扉体の吊り込み時及びメンテナンス時に点検カバーを支えていなければならないため作業性が悪いという不具合がある。さらに、丁番を用いたものでは、現場において位置を合わせて丁番を取り付けるなどの作業が必要となるため、施工性が悪いという問題がある。
【特許文献１】特開２００６−１０４８３０
【発明の開示】
【発明が解決しようとする課題】
【０００６】
本発明の目的は、枠体とカバー体の取付構造において、カバー体の下方部位の固定手段が外れたような場合にカバー体に下から上に向かう衝撃が加わったとしても、カバー体が枠体から外れないようにすることにある。
【課題を解決するための手段】
【０００７】
本発明が採用した技術手段は、枠体とカバー体との取付構造において、前記枠体は水平状に延出する上面部を備えていると共に、前記上面部の前端には被掛止部が形成されており、前記カバー体は面部を備えていると共に、前記面部の上端には前記被掛止部に掛止する掛止部が形成されており、前記被掛止部の先端には被掛止片、前記掛止部の先端には掛止片がそれぞれ形成されており、前記被掛止片に前記掛止片が掛止することで前記被掛止部と前記掛止部とは掛止状態となり、前記掛止状態は、カバー体が垂直姿勢から上端を支点として所定角度上方に回動するまで保持される、枠体とカバー体との取付構造、である。前記所定角度は、好ましい態様では、略９０度である。本発明は、特に、カバー体の上方部位と枠体との取付構造に特徴を有している。カバー体の下方部位は、螺子等の固定手段を用いて（必要であれば固定部材を介して）枠体に着脱自在に固定される。
【０００８】
一つの好ましい態様では、前記被掛止片は、垂直片と、垂直片の上端から水平に延出する水平片と、を備えており、前記掛止片は、水平状に延出する水平片と、水平片の先端から斜め下方に延出する傾斜片と、を備えており、前記掛止状態では、前記被掛止片の水平片に前記掛止片の傾斜片が掛止する。また、掛止片と被掛止片の形状は逆であってもよく、この態様では、前記被掛止片は、垂直片と、垂直片の下端から斜め上方に延出する傾斜片と、を備えており、前記掛止片は、水平片と、水平片の先端から下方に延出する垂直片と、を備えており、前記掛止状態では、前記被掛止片の傾斜片に前記掛止片の垂直片が掛止する。
【０００９】
後述する実施態様では、前記被掛止部は上方が開口状の凹部を備えており、前記カバー体を、前記面部を略水平姿勢とした状態で、前記掛止部を前記被掛止部の凹部に挿入し、前記面部を垂直姿勢となるまで下方に回動して前記掛止部を前記被掛止部に掛止させてなり、さらに具体的には、前記被掛止部は、凹部の後面を形成する第１片と、底面を形成する第２片と、前面を形成する垂直状の第３片と、第３片の上端から後方に延出する水平状の第４片と、を備えており、前記第４片の先端と前記第１片との間に凹部の開口が形成されており、前記掛止部は、面部の上端から後方に向かって水平状に延出する第１片と、第１片の先端から前方に向かって斜め下方に延出する傾斜状の第２片と、を有しており、前記被掛止部と前記掛止部の掛止状態では、掛止部の第１片と第２片とからなる掛止片が、被掛止部の第３片と第４片とからなる被掛止片に掛止する。
【発明の効果】
【００１０】
本発明の取付構造では、掛止部と被掛止部の掛止状態を、前記カバー体が上端を支点として所定角度上方に回動しないと解除されないように構成することで、カバー体に下から上に向かう衝撃が加わってカバー体が上動したとしても、カバー体が枠体から外れることがない。
【００１１】
カバー体の上方部位が枠体から外れるためには、「カバー体が上方へ回動して被掛止部の先端の被掛止片と掛止部の先端の掛止片の掛止状態を解除する」、「カバー体の掛止部を枠体の被掛止部から引き抜く」という２アクションが必要となるため、カバー体の脱落の危険性が非常に小さくなる。また、点検時には、前述の通り、カバー体を上方へ回動させて、カバー体の掛止部を枠体の被掛止部から引き抜けばよいので、本発明に係る取付構造が点検作業に支障を来たすことはない。
【発明を実施するための最良の形態】
【００１２】
図１は扉閉鎖時における引戸装置の姿図及び平面図、図２は引戸装置の一部省略縦断面図、図３は引戸装置の一部省略横断面図である。引戸装置が設けられる建物開口部は、上枠１と、左右の縦枠２，３と、床面４と、から形成されている。引戸装置は扉体５を有し、扉体５によって開口部を開閉するようになっている。上枠１内には、扉体５の移動方向（扉体５の幅方向）に延出する吊持レール６が設けてあり、扉体５の上端に設けた吊持ローラ７が吊持レール６に案内されて移動することで、扉体５が開口部を開閉する。図中、符号５０は、扉体５の振れを規制する振れ止めローラである。
【００１３】
上枠１は、上枠本体８と、点検カバー９と、から構成されている。上枠本体８、点検カバー９は共に開口幅方向に延出する長手部材であり、両部材８，９から断面視略方形状の上枠１が組立てられる。
【００１４】
図４に示すように、上枠本体８は、垂直状に延出する装着部８０と、装着部８０の上端から水平状に延出する上面部８１と、上面部８１の先端部位に形成された被掛止部８２と、装着部８０に持ち出し状に設けた固定片８３と、からなる。上枠本体８は、垂直状の装着部８０を介して躯体側に装着される。
【００１５】
被掛止部８２は、上面部８１の先端部位に上向き凹状に形成されている。より具体的には、被掛止部８２は、図８（Ｂ）に示すように、側面視において、上面部８１の前端側から下方に延出する第１片８２Ａと、第１片８２Ａの下端からさらに先端に向かって水平状に延出する第２片８２Ｂと、第２片８２Ｂの先端から上方に延出する第３片８２Ｃと、第３片８２Ｃの上端から第１片８２Ａに向かって第２片８２Ｂに平行して水平状に延出する第４片８２Ｄと、から上向き凹状に構成されている。水平状に延出する第４片８２Ｄの先端と第１片８２Ａとの間の空間が凹部８２Ｅの開口８２Ｆを形成している。第１片８２Ａが凹部８２Ｅの後面、第２片８２Ｂが凹部８２Ｅの底面、第３片８２Ｃが凹部８２Ｅの前面を形成している。垂直片である第３片８２Ｃと、第３片８２Ｃの上端から水平状に延出する水平片である第４片８２Ｄが、点検カバー９の上端が掛止する逆L字状の被掛止片を構成する。
【００１６】
図５に示すように、点検カバー９は、垂直状に延出する面部９０と、面部９０の下端に一体形成されたＬ字状片９１と、面部９０の上端部位に形成された掛止部９２と、面部９０の長手方向両端に面部９０に対して垂直状に設けた側片９３と、からなる。点検カバー９は、掛止部９２が上枠本体８の被掛止部８２に掛止されると共に、下方部位が螺子９Ａによって、上枠本体８の装着部８０に持ち出し状に設けた固定片８３に固定されている。
【００１７】
掛止部９２は、図８（Ｂ）に示すように、側面視において、面部９０の上端から後方に向かって水平状に延出する第１片９２Ａと、第１片９２Ａの先端から前方（面部９０）に向かって斜め下方に延出する第２片９２Ｂと、から構成されている。水平片である第１片９２Ａと、第１片９２Ａの先端から斜め下方に延出する傾斜片である第２片９２Ｂが上枠本体８の先端の被掛止片（第３片８２Ｃ、第４片８２Ｄ）に掛止する逆レ状の掛止片を構成する。
【００１８】
図８（Ａ）を参照して、掛止部９２と被掛止部８２の寸法条件について説明する。被掛止部８２、掛止部９２の各部位の寸法を以下のとおり表す。
Ｗ１：被掛止部８２の第４片８２Ｄの長さ
Ｗ２：被掛止部８２の凹部８２Ｅの開口８２Ｆの寸法
Ｗ３：被掛止部８２の凹部８２Ｅの深さ寸法
Ｗｔ：被掛止部８２を構成する部材の厚み
Ｔ１：掛止部９２の傾斜状の第２片９２Ｂの垂直方向の寸法
Ｔ２：掛止部９２の第２片９２Ｂの先端と面部９０との間の寸法
Ｔ３：掛止部９２の傾斜状の第２片９２Ｂの水平方向の寸法
Ｔ４：掛止部９２の第１片９２Ａの内側の寸法
Ｔｔ：掛止部９２を構成する部材の厚み
掛止部９２、被掛止部８２に要求される寸法条件は、
（１）Ｔ１＜Ｗ２；
（２）Ｔ３＜Ｗ３；
（３）Ｔ２＜Ｗ１＜Ｔ４；
である。
【００１９】
上枠本体８に対する点検カバー９の取り付けを、図６、図７（B）に示す。先ず、点検カバー９の面部９０を水平姿勢として、面部９０の上端の掛止部９２を、上方から、上面部８１の先端の被掛止部８２の凹部８２Ｅ内に、開口８２Ｆから挿入する（図７（B））。
【００２０】
点検カバー９の掛止部９２を被掛止部８２の凹部８２Ｅに入れた状態で手前（前方）に引き、掛止部９２の第２片９２Ｂを被掛止部８２の第４片８２Ｄに係合させ、係合部を支点として点検カバー９を垂直姿勢となるまで下方に回動させる（図）７（C）（D）(E))。
【００２１】
点検カバー９が垂直姿勢となるまで回動されると、点検カバー９の掛止部９２と上枠本体８の被掛止部８２とが掛止状態となる。掛止状態において、掛止部９２の第１片９２Ａの下面が被掛止部８２の第４片８２Ｄの上面に当接し、面部９０と被掛止部８２の第３片８２Ｃが当接し、掛止部９２の第２片９２Ｂが前方に向かって傾斜状に下方に延出しており、被掛止部８２の水平状の第４片８２Ｄは、掛止部９２の傾斜状の第２片９２Ｂの前方に位置している。この掛止状態は、点検カバー９を図７（Ｃ）の状態からさらに上方に回動させて上方に引き抜くように移動させないと解除されない。したがって、仮に螺子９Ａが外れた状態で点検カバー９に衝撃が加わったとしても、点検カバー９の掛止部９２が上枠本体８の被掛止部８２から外れて点検カバー９が落下するようなことがない。
【００２２】
図６では、長手方向に延出する被掛止部８２、掛止部９２が示されているが、被掛止部８２に掛止できるように掛止部９２が形成されていればよく、被掛止部８２、掛止部９２の長さや数は図示のものに限定されない。
【産業上の利用可能性】
【００２３】
本発明は、引戸装置の点検カバーの取付構造として利用することができる。
【図面の簡単な説明】
【００２４】
【図１】扉閉鎖時における引戸装置の姿図及び平面図である。
【図２】引戸装置の一部省略縦断面図である。
【図３】引戸装置の一部省略横断面図である。
【図４】上枠本体を示す図である。
【図５】点検カバーを示す図である。
【図６】上枠本体への点検カバーの取り付けを説明する図である。
【図７】上枠本体への点検カバーの取り付けを説明する図である。
【図８】（Ａ）は掛止部と被掛止部の寸法条件を説明する図であり、（Ｂ）は上枠本体の被掛止部と点検カバーの掛止部との掛止状態を示す図である。
【図９】上枠本体の被掛止部と点検カバーの掛止部との従来の取付構造を示す引戸装置の一部省略縦断面図である。
【符号の説明】
【００２５】
８  上枠本体
８１  上面部
８２  被掛止部
８２Ａ  第１片
８２Ｂ  第２片
８２Ｃ  第３片
８２Ｄ  第４片
８２Ｅ  凹部
８２Ｆ  開口
９  点検カバー
９０  面部
９２  被掛止部
９２Ａ  第１片
９２Ｂ  第２片
【図１】
2008082057.tif 000003
【図２】
2008082057.tif 000004
【図３】
2008082057.tif 000005
【図４】
2008082057.tif 000006
【図５】
2008082057.tif 000007
【図６】
2008082057.tif 000008
【図７】
2008082057.tif 000009
【図８】
2008082057.tif 000010
【図９】
2008082057.tif 000011